(57)【特許請求の範囲】
【請求項１】
相手側の雄端子が挿入されて接続される雌端子と、この雌端子が収容され前記雄端子が挿入される挿入開口を有した端子収容室が設けられたコネクタハウジングとを備えたコネクタであって、
前記コネクタハウジングの端子収容室の挿入開口周縁部に設けられて前記雄端子の先端部を正規挿入位置へ導く第１の雄端子拾い面と、前記雌端子における前記雄端子の嵌合面側の端面に設けられて前記雄端子の先端部を正規挿入位置へ導く第２の雄端子拾い面とが設けられており、
前記第２の雄端子拾い面は、前記雌端子の、前記挿入された雄端子に先端部が接触する弾性接触片の基端部が連結された板部に、前記端子収容室の係止ランスの前記雌端子に対する係止を解除させる抜き治具の挿入口が両側に形成されるように、前記挿入開口よりも小さな幅で形成されており、
前記弾性接触片は、前記先端部を前記雌端子の前記雄端子の嵌合面側の端面に向けて形成されている、
ことを特徴とするコネクタ。
【請求項２】
請求項１記載のコネクタであって、
前記第１の雄端子拾い面は、下部面と、この下部面の両側に設けた一対の側部面とによって形成され、前記第２の雄端子拾い面は前記下部面に対して対向する位置に設けられていることを特徴とするコネクタ。
【請求項３】
請求項１又は２記載のコネクタであって、
前記第２の雄端子拾い面は、前記端子収容室の外方に位置していることを特徴とするコネクタ。
【発明の詳細な説明】
【技術分野】
【０００１】
本発明は、雄端子を端子収容室の正規挿入位置に導く構造を有したコネクタに関する。
【背景技術】
【０００２】
雌端子を収容したコネクタハウジングの端子収容室に対し、相手側の雄端子は端子収容室の前端部分の挿入開口から挿入されることにより雌端子と接続される。この雄端子の挿入を直線的に案内するため、端子収容室の挿入開口にはテーパ状の端子拾い面が一般的に形成される。
【０００３】
図４及び図５は特許文献１に記載された端子拾い面を有するコネクタ１００を示す。コネクタ１００は雌端子を収容するための端子収容室１１０が複数形成された図４に示すコネクタハウジング１２０と、コネクタハウジング１２０の前側に嵌合される図５に示すリテーナ１３０とを備えている。
【０００４】
図４に示すように、コネクタハウジング１２０の端子収容室１１０の前端部分には、相手側の雄端子が挿入される挿入開口１１１が形成されており、挿入開口１１１の周縁部にテーパ状の雄端子拾い面１１３が形成されている。雄端子拾い面１１３は挿入開口１１の左右縁部及び上縁部に形成され、下縁部は係止ランス１１５に対応するように開口溝１１７となっている。
【０００５】
リテーナ１３０はそれぞれの端子収容室１１０に対応した窓孔１３１が形成されている。各窓孔１３１の下縁からは補助板１３３が立上がり状に形成され、補助板１３３の上端部に補助拾い面１３５が形成されている。又、各窓孔１３１には、抜き治具挿入孔１３７が形成されている。このリテーナ１３０をコネクタハウジング１２０の前端部分に嵌め込むと、補助拾い面１３５が開口溝１１７に対応した位置となり、コネクタハウジング１２０側の雄端子拾い面１１３と補助拾い面１３５とによって挿入開口１１１の全周（４面）の縁部に端子拾い面が形成された状態となる。
【先行技術文献】
【特許文献】
【０００６】
【特許文献１】特開２００４−１５２５８３号公報
【発明の概要】
【発明が解決しようとする課題】
【０００７】
しかしながら、従来のコネクタにおいては、係止ランスのための開口溝１１７が端子収容室１１０に形成されると共に抜き治具挿入孔１３７がリテーナ１３０に形成されることから端子収容室１１０及びリテーナ１３０によって形成される端子拾い面の強度が小さなものとなる。又、開口溝１１７や抜き治具挿入孔１３７を形成する必要があるため、小型化できないものとなっている。さらに端子拾い面を全周に対して形成するためには、リテーナ１３０を必要とすることから部品点数が多くなっているばかりでなくコネクタハウジングの小型化が難しい問題を有している。
【０００８】
そこで本発明は、端子拾い面の強度を向上させることができ、部品点数を少なくでき、小型化が可能なコネクタを提供することを目的とする。
【課題を解決するための手段】
【０００９】
請求項１記載の発明は、相手側の雄端子が挿入されて接続される雌端子と、この雌端子が収容され前記雄端子が挿入される挿入開口を有した端子収容室が設けられたコネクタハウジングとを備えたコネクタであって、前記コネクタハウジングの端子収容室の挿入開口周縁部に設けられて前記雄端子の先端部を正規挿入位置へ導く第１の雄端子拾い面と、前記雌端子における前記雄端子の嵌合面側の端面に設けられて前記雄端子の先端部を正規挿入位置へ導く第２の雄端子拾い面とが設けられており、前記第２の雄端子拾い面は、前記雌端子の、前記挿入された雄端子に先端部が接触する弾性接触片の基端部が連結された板部に、前記端子収容室の係止ランスの前記雌端子に対する係止を解除させる抜き治具の挿入口が両側に形成されるように、前記挿入開口よりも小さな幅で形成されており、前記弾性接触片は、前記先端部を前記雌端子の前記雄端子の嵌合面側の端面に向けて形成されていることを特徴とする。
【００１０】
請求項２記載の発明は、請求項１記載のコネクタであって、前記第１の雄端子拾い面は、下部面と、この下部面の両側に設けた一対の側部面とによって形成され、前記第２の雄端子拾い面は前記下部面に対して対向する位置に設けられていることを特徴とする。
【００１１】
請求項３記載の発明は、請求項１又は２記載のコネクタであって、前記第２の雄端子拾い面は、前記端子収容室の外方に位置していることを特徴とする。
【発明の効果】
【００１２】
請求項１記載の発明では、端子収容室の挿入開口の周縁部に第１の雄端子拾い面が形成され、雌端子の雄端子嵌合面側の端面に第２の雄端子拾い面が形成されることにより雄端子を正規挿入位置に導くことができる。このような本発明においては、第２の雄端子拾い面が雌端子の端面に形成されることから、その分、コネクタハウジングを小型化することができる。又、雄端子拾い面を形成するためにリテーナを用いる必要がなく、部品点数を削減でき、小型化することができる。さらに、第２の雄端子拾い面が雌端子の端面からなるため、第２の雄端子拾い面が金属によって形成される。このため雄端子拾い面の強度を向上させることができる。しかも、金属製の第２の雄端子拾い面に対して検査用ピンを接触させることにより導通検査が可能となり、導通検査を容易且つ正確に行うことができる。
【００１３】
請求項２記載の発明によれば、第１の雄端子拾い面が下部面及び下部面の両側に設けた一対の側部面とによって形成され、第２の雄端子拾い面が下部面に対して対向する位置に設けられることにより、雄端子の挿入開口の周縁部の全周（４面）に対して雄端子拾い面を形成することができる。これにより雄端子を精度良く正規挿入位置に導くことができる。
【００１４】
請求項３記載の発明によれば、第２の雄端子拾い面が記端子収容室の外方に位置しているため、第２の雄端子拾い面に対して検査用ピンを容易に接触させることができ、導通検査を容易に行うことができる。
【図面の簡単な説明】
【００１５】
【図１】本発明の一実施形態を示す全体斜視図である。
【図２】一実施形態の断面図である。
【図３】一実施形態の正面図である。
【図４】従来のコネクタの正面図である。
【図５】従来のコネクタに用いられるリテーナの正面図である。
【発明を実施するための形態】
【００１６】
以下、本発明を図示する実施形態により具体的に説明する。図１〜図３は本発明の一実施形態を示し、図１は一実施形態のコネクタ１の斜視図、図２はコネクタ１の縦断面図、図３はコネクタ１の正面図である。
【００１７】
コネクタ１はコネクタハウジング２と雌端子３とを備え、コネクタハウジング２には相手側の端子としての雄端子（図示省略）が挿入される。
【００１８】
コネクタハウジング２は雌端子３が挿入されて収容される端子収容室２１を有している。端子収容室２１は雌端子３が挿入される側の端子挿入部２２と、雌端子３を収容するための端子収容部２３とによって形成されており、全体が絶縁性樹脂によって形成されている。端子挿入部２２は矩形筒状に形成されており、端子収容部２３はこの端子挿入部２２から一側（先端側）に延設されている。
【００１９】
端子収容部２３は底壁部２３ａと、底壁部２３ａから立設した左右の側壁部２３ｂと、左右の側壁部２３ｂの上端部から相互に接近するように屈曲された頂壁部２３ｃとを備えている。端子収容部２３の延設端部は開口されており、この開口により延設端部は雄端子を端子収容室２１に挿入するための挿入開口２５となっている。挿入開口２５は矩形状に開口しており、その周縁部には第１の雄端子拾い面２６が形成されている。
【００２０】
第１の雄端子拾い面２６は、下部面２７と、下部面２７の両側に設けられた一対の側部面２８とからなる３面によって形成されている。下部面２７及び一対の側部面２８は挿入開口２５の奥側に向かうにつれて開口が小さくなるように傾斜したテーパ面となっている。第１の雄端子拾い面２６は挿入開口から挿入される雄端子の先端部分のタブ（図示省略）を正規挿入位置に導くものである。ここで正規挿入位置は雄端子のタブが雌端子３の内部に挿入され且つタブが後述する雌端子３の弾性接触片３７（図２参照）と接触する位置である。
【００２１】
端子収容室２１における端子挿入部２２の内部には、雌端子３に係止する係止ランス（図示省略）が形成されている。係止ランスは端子挿入部２２内に突出するように形成されており、係止ランスが雌端子３に係止することにより端子収容室２１からの雌端子３の抜けが阻止される。かかる係止ランスは雌端子３を端子収容室２１内に挿入する当初において雌端子３の挿入方向と交差する方向（外側方向）に撓み変形した後、雌端子３が端子収容室２１に完全に挿入された状態で元の状態に復帰して雌端子３に係止するように動作する。
【００２２】
図２に示すように、雌端子３は端子収容室２１の端子挿入部２２内に挿入される接触筒部３１を有し、接触筒部３１の後側には、電線（図示省略）に圧着して電線と導通する電線圧着部３２が連設されている。
【００２３】
雌端子３の接触筒部３１は、底板部３３と、底板部３３に対向した上板部３４と、底板部３３及び上板部３４を連結する左右一対の側板部３５とからなる矩形筒状となっている。底板部３３には端子収容室２１（端子収容部２３）の底壁部２３ａに形成された係止孔部２４に係止される係止凸部３６が形成されている。上板部３４には弾性接触片３７が形成されている。弾性接触片３７は基端部３７ａが上板部３４に連結され、先端部３７ｂが自由端となった片持ち梁となっており、自由端となっている先端部３７ｂが雄端子のタブと接触することにより雄端子と電気的に接続される。
【００２４】
雌端子３には第２の雄端子拾い面３８が形成されている。第２の雄端子拾い面３８は上板部３４の先端部から端子収容室２１の挿入開口２５方向に延びるように上板部３４に連結されている。第２の雄端子拾い面３８が挿入開口２５方向に延びることにより、第２の雄端子拾い面３８は雌端子３における雄端子の嵌合面側の端面に位置している。又、第２の雄端子拾い面３８が上板部３４に連結されることにより第２の雄端子拾い面３８は第１の雄端子拾い面２６における下部面２７に対して対向した位置となっている。
【００２５】
このように雌端子３に形成された第２の雄端子拾い面３８は、端子収容室２１の挿入開口２５に形成された第１の雄端子拾い面２６とともに挿入開口２５の周縁部に対して４面の雄端子拾い面を形成する。これにより雄端子のタブを確実に正規挿入位置に導くことができる。
【００２６】
第２の雄端子拾い面３８の先端部３８ａは下部面２７に向かって湾曲状に屈曲しており、この湾曲によって挿入開口２５に挿入される雄端子のタブを正規挿入位置へ導くように作用する。すなわち、第２の雄端子拾い面３８の先端部３８ａは雄端子のタブが雌端子３の接触筒部３１内に挿入されるとともにタブが雌端子３の弾性接触片３７と接触するように導くものである。この場合、第２の雄端子拾い面３８の先端部３８ａが湾曲することにより、第２の雄端子拾い面３８は雄端子のタブが弾性接触片３７と突き当たらないようにタブを案内するため、タブの弾性接触片３７との突き当たりがなく、タブを円滑に接触筒部３１内に導くことができる。
【００２７】
かかる第２の雄端子拾い面３８の先端部３８ａは、図１及び図２に示すように端子収容室２１の先端部よりも外方に位置するものである。すなわち第２の雄端子拾い面３８の先端部３８ａは、端子収容室２１の挿入開口２５から外部に露出した状態となっている。この露出した先端部３８ａに対しては、検査用ピン（図示省略）を当接させることができ、検査用ピンの当接により導通検査を行うことができる。これにより導通検査を通常よりも容易且つ確実に行うことができる。
【００２８】
図３に示すように、第２の雄端子拾い面３８は端子収容室２１の挿入開口２５の横幅よりも小さな幅となっており、第２の雄端子拾い面３８の左右両側には抜き治具挿入口２９が形成される。抜き治具挿入口２９からは抜き治具（図示省略）を挿入することができ、挿入された抜き治具が端子収容室２１（端子収容部２３）内の係止ランスに当接し、この当接により係止ランスを係止解除方向に撓ませることができる。これにより係止ランスの係止解除作業が容易となる。
【００２９】
このような実施形態では、端子収容室２１の挿入開口２５の周縁部に第１の雄端子拾い面２６が形成され、雌端子３の雄端子嵌合面側の端面に第２の雄端子拾い面３８が形成されるため、雄端子のタブを正規挿入位置に導くことができる。ここで第２の雄端子拾い面３８が雌端子３の端面に形成され、コネクタハウジング２に形成する必要がないから、その分、コネクタハウジング２を小型化することができる。又、雄端子拾い面を形成するためにリテーナを用いる必要がないため、部品点数を削減でき、小型化することができる。さらに、第２の雄端子拾い面３８が雌端子３に形成されることから第２の雄端子拾い面３８が金属によって形成され、雄端子拾い面の強度を向上させることができる。しかも、金属製の第２の雄端子拾い面３８に対して検査用ピンを接触させることにより導通検査が可能となり、導通検査を容易且つ正確に行うことができる。
【００３０】
又、この実施形態では、第１の雄端子拾い面２６が下部面２７及び下部面２７の両側に設けた一対の側部面２８とによって形成され、第２の雄端子拾い面３８が下部面２７に対して対向する位置に設けられることにより、雄端子の挿入開口の周縁部の全周（４面）に対して雄端子拾い面を形成することができるため、雄端子を精度良く正規挿入位置に導くことができる。
【００３１】
さらに、第２の雄端子拾い面３８が端子収容室２１の外方に位置しているため、第２の雄端子拾い面３８に検査用ピンを容易に接触させることができ、導通検査を容易に行うことができる。
【符号の説明】
【００３２】
１  コネクタ
２  コネクタハウジング
３  雌端子
２１  端子収容室
２５  挿入開口
２６  第１の雄端子拾い面
２７  下部面
２８  側部面
３８  第２の雄端子拾い面
【図１】
0005723603.tif 000002
【図２】
0005723603.tif 000003
【図３】
0005723603.tif 000004
【図４】
0005723603.tif 000005
【図５】
0005723603.tif 000006